(57)【要約】【課題】原子炉上方から複数箇所の作業を同時に並行して短時間で能率よく行え作業位置までの距離を小さくし、同一管理区域内の床面積を拡大して同一防護服での移動範囲を拡大し、原子炉内の作業状態や結果を確認するための作業を複数人が同時に行えようにする。【解決手段】原子炉１上方のオペレーションフロア６に着脱可能に設置され、原子炉１内に臨む開口部１０を有する床８と、この床８上に開口部１０を囲む配置で立設された複数本の支柱１９と、これら支柱間に架設された梁２１と、この梁に設けられ、水平面上に沿って移動可能な２以上のホイスト２４とを備える。【選択図】  図１
2004325219.tif 000002
【特許請求の範囲】
【請求項１】
原子炉上方のオペレーションフロアに着脱可能に設置され、前記原子炉内に臨む開口部を有する床と、この床上に前記開口部を囲む配置で立設された複数本の支柱と、これら支柱間に架設された梁と、この梁に設けられ、水平面上に沿って移動可能な２以上のホイストとを備えたことを特徴とする原子炉内作業用プラットホーム。
【請求項２】
前記床は、前記オペレーションフロアに設置された燃料交換機支持用レールに、位置合せ機構を介して水平方向位置調整可能に載置されている請求項１記載の原子炉内作業用プラットホーム。
【請求項３】
前記床の開口部は、前記床の一部の取外し、追加または交換により、開口形状、大きさまたは配置が可変とされている請求項１記載の原子炉内作業用プラットホーム。
【請求項４】
電源装置、作業用空気供給装置および作業用水供給装置の少なくとも１以上を有する操作箱を備える請求項１記載の原子炉内作業用プラットホーム。
【請求項５】
原子炉上蓋を開放し、水張りをした水ピット上方のオペレーションフロアに、請求項１〜４のいずれかに記載の原子炉内作業用プラットホームを設置し、前記２以上のホイストを使用して原子炉内作業機器を前記原子炉内に吊下し、原子炉内における複数箇所の作業を同時に行うことを特徴とする原子炉内作業方法。
【発明の詳細な説明】
【０００１】
【発明の属する技術分野】
本発明は、原子炉内の点検、補修等の作業を効率よく行える原子炉内作業用プラットホームおよびこのプラットホームを使用する原子炉内作業方法に関する。
【０００２】
【従来の技術】
従来、沸騰水型原子炉、加圧水形原子炉等の点検、補修等の炉内作業を行う場合、原子炉上蓋を開放し、水張りをした水ピット上方のオペレーションフロアにおいて、燃料交換機を使用して点検、補修用の各種機器を炉内に導入して作業を行うのが一般的である。
【０００３】
しかし、このような燃料交換機を使用して原子炉内作業を行う場合には、一度の作業で炉内の１箇所しか作業することができず、複数箇所を同時に作業することはできない。また、燃料交換機が配置される原子炉上方のオペレーションフロアは開放空間となっており、作業員が歩行する作業エリアは燃料交換機支持用レールの側方に平行に設けられる比較的幅狭な通路、およびその通路の端部側のフロアとなっており、オペレーションフロアでの作業範囲が制約される。
【０００４】
また、燃料交換機を使用して各種作業機器を移動するには多くの移動時間を必要とし、さらに燃料交換機を使用する際の作業場所は梯子を介して搭乗する燃料交換機の上部であり、原子炉水面上からの作業位置が高いため、炉内作業箇所までの観察距離が大きくなっている。
【０００５】
また、作業員は、燃料交換機の移動空間の側方に設けられた通路を歩行しているが、その周辺位置との放射線レベルの相違により、管理区域の種類が異なるため、周辺位置から上記通路に接近する場合には、途中で異なる防護服に着替える必要がある等、機器搬送等の際の作業に手間や時間を費やしている。
【０００６】
さらに、原子炉内の作業状態や結果を確認するための作業を燃料交換機や前記の通路上から行なっているが、その作業確認が可能な者は、当該箇所にいる当事者に限られる。
【０００７】
なお、従来では、燃料交換機に代る原子炉上方での作業用プラットホームが種々提案されている。例えば原子炉上方の原子炉ウェル内における段差部上に、円形レールを着脱自在に設け、この円形レールの上に回転架台を設けたもの（特許文献１参照）、また原子炉上方から水中作業を見るためにレール上に平坦なプラットホームを架設してその上にモニタ装置を設置したもの（特許文献２参照）、あるいは燃料取扱工具から分離した工具を固定し得るようにする使用済燃料ピットクレーンにプラットホームを設けたもの（特許文献３参照）等が知られている。
【０００８】
【特許文献１】
特開平７−１１３８９６号公報
【０００９】
【特許文献２】
特開平５−１０００７８号公報
【００１０】
【特許文献３】
特開平６−１８６３８３号公報
【００１１】
【発明が解決しようとする課題】
燃料交換機を使用した原子炉内作業においては、一度の作業で炉内の１箇所しか作業することができず、複数箇所を同時に作業することができないため能率上で課題がある。また、点検時における原子炉上方開放状態では燃料交換機用レールが配置される部位が開放空間となり、作業員が歩行する作業エリアや見学用エリア等が少ない。
【００１２】
また、燃料交換機を使用して各種作業機器を移動する場合には、多くの移動時間を必要とし、さらに燃料交換機を使用して作業する場合には梯子を設けた燃料交換機上部での作業となることから、原子炉水面上からの作業位置が高く、作業箇所までの距離が大きくなって視野が制限される。
【００１３】
また、作業員は、燃料交換機支持用レールの側方に設けられた通路を歩行しているが、その周辺位置との放射線レベルの相違により管理区域の種類が異なるため、上記通路を歩行する場合には防護服の着替えが必要となる等、機器搬送等の際の作業に手間や時間を費やし、それだけ作業能率が低下することがある。
【００１４】
さらに、原子炉内の作業状態や結果を確認するための作業を燃料交換機や前記の通路上から行なっているが、その確認ができるのは当該箇所にいる当事者に限られるという制約もある。
【００１５】
なお、上述したように、原子炉上方に設置して作業するためのプラットホームとして種々の提案がされたが、それらのプラットホームは用途が限られて汎用性に乏しく、また原子炉上方空間をかならずしも広く利用することができるものではなかった。
【００１６】
本発明はこのような事情に鑑みてなされたもので、原子炉上方から複数箇所の作業を同時に並行して行えるようにして能率向上が図れるとともに、作業員が歩行する作業エリアや見学用エリア等を拡大することができ、また各種作業機器を短時間で能率よく移動することができ、さらに原子炉水面上からの作業位置を従来に比して低い位置とし、作業位置までの距離を小さくすることができ、また、同一管理区域内の床面積を拡大して同一防護服での移動範囲を従来に比して拡大することができ、さらに原子炉内の作業状態や結果の確認を複数人が同時に行えるようにして作業の確実性を高めることができる原子炉内作業用プラットホームを提供することを目的とする。
【００１７】
また、本発明は、上記プラットホームを使用して効率よく作業を行うことができる原子炉内作業方法を提供することを目的とする。
【００１８】
【課題を解決するための手段】
前記の目的を達成するため、請求項１に係る発明では、原子炉上方のオペレーションフロアに着脱可能に設置され、前記原子炉内に臨む開口部を有する床と、この床上に前記開口部を囲む配置で立設された複数本の支柱と、これら支柱間に架設された梁と、この梁に設けられ、水平面上に沿って移動可能な２以上のホイストとを備えたことを特徴とする原子炉内作業用プラットホームを提供する。
【００１９】
請求項２に係る発明では、前記床は、前記オペレーションフロアに設置された燃料交換機支持用レールに、位置合せ機構を介して水平方向位置調整可能に載置されている請求項１記載の原子炉内作業用プラットホームを提供する。
【００２０】
請求項３に係る発明では、前記床の開口部は、前記床の一部の取外し、追加または交換により、開口形状、大きさまたは配置が可変とされている請求項１記載の原子炉内作業用プラットホームを提供する。
【００２１】
請求項４に係る発明では、電源装置、作業用空気供給装置および作業用水供給装置の少なくとも１以上を有する操作箱を備える請求項１記載の原子炉内作業用プラットホームを提供する。
【００２２】
請求項５に係る発明では、原子炉上蓋を開放し、水張りをした水ピット上方のオペレーションフロアに、請求項１〜４のいずれかに記載の原子炉内作業用プラットホームを設置し、前記２以上のホイストを使用して原子炉内作業機器を前記原子炉内に吊下し、原子炉内における複数箇所の作業を同時に行うことを特徴とする原子炉内作業方法を提供する。
【００２３】
【発明の実施の形態】
以下、本発明の実施形態について、図面を参照して説明する。
【００２４】
まず、図１〜図６により、本発明の一実施形態として、沸騰水型原子炉の原子炉圧力容器内の点検、補修等の作業に適用する原子炉内作業用プラットホームについて説明する。
【００２５】
図１は、この原子炉内作業用プラットホームの全体構成および設置状態を概略的に示す側面図であり、図２は、図１の平面図である。
【００２６】
図１および図２に示すように、原子炉圧力容器１の上方に原子炉ウェル２が配置され、原子炉ウェル２の両側位置にＤ／Ｓプール３および燃料プール４が配置されている。
【００２７】
本実施形態の原子炉内作業用プラットホーム５は、原子炉ウェル２上方のオペレーションフロア６に設けられている燃料交換機支持用のレール７上に設置されている。
【００２８】
図３は、原子炉内作業用プラットホーム５を、図１のＡ方向から見た拡大側面図であり、図４は図３の平面図である。
【００２９】
これら図３および図４に示すように、原子炉内作業用プラットホーム５は、原子炉圧力容器１内に臨む開口部を有する床８を備えている。この床８は、中空な薄箱状に構成されて水平に配置されており、例えば平面視で正方形状をなし、両側辺縁部が燃料交換機支持用のレール７にそれぞれ着脱可能に載置固定されている。床８は、例えばレール７の軌道方向（ｘ方向）に沿って分割された複数、例えば３体の床部材８ａ，８ｂ，８ｃを連結して一体としたものである。
【００３０】
この床８の上面が作業者の移動および作業機器載置等を行うための作業用床面とされており、床８の周縁位置にはその一部または全体を囲む配置で手摺９が設けられ、作業者の歩行等を補助し得るようになっている。また、床８の中央部には、原子炉圧力容器１内の略全域を臨む開口部１０が設けられ、この開口部１０を介して炉内への機器の搬出入が行えるようになっている。この開口部１０の周辺には、全周に亘って落下防止柵１１が立設され、これにより原子炉圧力容器１内への落下防止による安全対策が図られている。
【００３１】
そして、図４に示すように、床８の開口部１０の周囲には、例えば４体の三角形状の床部材８ｄが等間隔で配置され、その床部材８ｄ間には、さらに補助的な床部材８ｅが配置され、これらを組合せることにより、例えば原子炉圧力容器１内の略全域を臨む開口部１０、例えば八角形の開口部が形成されている。
【００３２】
なお、これらの床部材８ａ〜８ｅに対し、他の床部材を組合せることにより、例えば原子炉圧力容器１内の一部のみを開口する開口部１０を形成することができる。すなわち、本発明では、床８の開口部１０が一部の床部材の取外し、追加または交換等により、形状、大きさまたは配置が可変とされている。この床部材の取外し、追加、交換等による開口部１０の変形等については、後述する他の実施形態（図７，８）において説明する。
【００３３】
なお、床８の一部には、例えば原子炉圧力容器１の周壁部に対応する配置で、１対のパネル１２が設けられ、これらのパネル１２には炉内へホース等を挿入する孔１３が形成されている。
【００３４】
図５は、床８を燃料交換機支持用レール７に支持する支持構造を示しており、図３のＢ部拡大図である。この図５に示すように、床８は、燃料交換機支持用レール７に位置合せ機構１４を介して水平方向位置調整可能に載置されている。
【００３５】
すなわち、床８の底面には１対のレール７上に載置される脚部１５がそれぞれ設けられ（図５には一方のレール７および脚部１５のみが示されている）、この脚部１５の外側には、それぞれ各レール７の側面に一定の間隔をもって対向する垂下片１６が設けられている。
【００３６】
この垂下片１６に、水平方向位置調整用のボルト１７が外側からレール７側に向って螺挿され、貫通している。そして、ボルト１７をそれぞれ回転することにより、ボルト先端部に設けた当金１８をレール７の外側面に当接させ、この当接位置を調整することにより、反力によって床８全体をレール７の軌道方向と直交する方向に移動することができるようになっている。
【００３７】
床８の設置時には、この位置合せ機構１４のボルト１７を操作することにより、床８を燃料交換機支持用レール７の幅方向に対し、水平方向に位置調整し、床８を適正な位置に位置決めすることができる。
【００３８】
次に、床８の上側構成について説明する。
【００３９】
図３および図４に示すように、床８上には、開口部１０を囲む配置で複数本、例えば４本の支柱１９が相互に等間隔で立設され、これらの支柱１９は補強杆２０によって床８上に支持されている。各支柱１９の上端は、それぞれ水平枠状の固定梁２１によって連結されている。そして、固定梁２１の下方に支持部材２１ａを介してレール７の軌道方向（ｘ方向）に沿う水平な１対のガイドロッド２２が支持され、さらにこれらのガイドロッド２２に、レール７と直交する方向（ｙ方向）に沿う複数本、例えば２本の移動ロッド２３が、それぞれｘ方向に移動可能に支持されている。さらに、各移動ロッド２３には、複数（例えば１ないし２個）のホイスト２４が、滑車２５を介してｙ方向に移動可能に取付けられている。
【００４０】
図６は、この移動ロッド２３に対する滑車２５の支持構造を示している。この図６に示すように、移動ロッド２３は例えばＩ形等のアングル構造とされ、この移動ロッド２３に滑車２５が係合してｙ方向に移動することができる。
【００４１】
この滑車２５にホイスト２４が吊下され、ホイスト２４はｘ、ｙ方向に移動可能となっている。このホイスト２４に、図示省略の作業用機器を装着し、床８の開口部１０を介して原子炉圧力容器１内に挿入し、または取出すことができる。
【００４２】
なお、支柱１９と固定梁２１とは、別構成のものを組立てて構成してもよく、また一体物として構成してもよい。すなわち、支柱１９と固定梁２１とは、ホイスト２４を支持するための構築物であればよく、その形状や大きさは種々変更することができる。
【００４３】
さらに、本実施形態では図３に示すように、支柱１９に電源装置、作業用空気供給装置および作業用水供給装置を有する操作箱２６が備えられている。この操作箱２６からの操作指令により、作業部位への水や空気の供給、あるいはホイスト移動その他各種駆動操作を行うことができる。
【００４４】
以上の構成において、原子炉内作業に際しては、原子炉上蓋を外し、水張りをした原子炉圧力容器１上方のオペレーションフロア６に、上述した原子炉内作業用プラットホーム５を設置し、２以上のホイスト２４を使用して原子炉内作業機器を原子炉圧力容器１内に吊下し、複数箇所の原子炉内作業を同時に行うことができる。
【００４５】
次に、図７〜図９により他の実施形態について説明する。
【００４６】
図７は、床８の開口部１０の形状を変更する第１の構成例を示している。この図７に示す実施形態においては、床８に設けた開口部１０の中央位置に、円形床部材８ｆが配置されている。この円形床部材８ｆは、周囲の床部材８ｄ，８ｅに例えば十文字状の連結用床部材８ｇを介して連結されている。
【００４７】
すなわち、この構成例においては、図４に示した前記一実施形態の構成に円形床部材８ｆを加えることにより、床８の開口部１０がドーナツ状に形成され、原子炉圧力容器１内の中央を除く周辺空間の作業用として適用される。
【００４８】
図８は、別の構成例を示している。すなわち、図４に示した一実施形態における床８の開口部１０の略全体を閉塞する大円形床部材８ｈが固定的に、あるいは回転可能に取付けられ、この大円形床部材８ｈの一部に一定長さの円弧状の狭小開口部１０ａが穿設されている。この狭小開口部１０ａにより、炉内に連通する開口量を少なくしている。なお、この大円形床部材１０ａを回転可能とした場合には、開口位置を必要に応じて変更することが可能となる。また、大円形床部材１０ａを固定的とした場合には、必要に応じて図示しない他の床部材と交換して、開口位置を変更することができる。
【００４９】
このように、本発明では、床８の開口部１０が一部の床部材を取外し、追加または交換することにより、形状、大きさまたは配置を変更することが可能であり、作業の種類、場所等に応じて、適宜の開口部を設定し、作業を的確に、効率よく、かつ安全に行うことができる。
【００５０】
図９は、加圧水型原子炉への適用例を示している。この場合において、床８、支柱１９、梁２１、ホイスト２４等の構成については前記実施形態と同様である。そして、加圧水型原子炉の原子炉容器１ａの上方のオペレーションフロア６ａにシールド部材２７が敷設され、このシールド部材２７の上に、床８が設置されている。他の構成については、前記実施形態と略同様である。
【００５１】
以上の実施形態によれば、複数のホイスト２４を使用して、一度の作業で炉内の複数箇所を作業することができ、複数箇所を同時に作業することにより能率向上が図れる。
【００５２】
また、点検時における原子炉上方に床８を配置することにより、作業員が歩行する作業エリアや見学用エリア等を拡大することができる。
【００５３】
また、燃料交換機を使用して各種作業機器を移動する場合のような多くの移動時間を必要とすることがなく、作業を迅速に行うことができ、さらに床８の上面がオペレーションフロア６と同レベルであるため、原子炉水面上からの作業位置を低くして、作業箇所までの距離を縮小し、視野を拡大することができる。
【００５４】
また、作業員は、同一管理区域における広い範囲で移動および作業を行うことができるようになり、防護服の着替え等についての余分な操作を減少して、機器搬送等の際の作業を効率よく行うことができるようになる。
【００５５】
さらに、原子炉内の作業状態や結果を確認するための作業について、床８上の広い範囲で当事者以外の作業者も含めて多数人が同時に行えるようになり、作業の確実性を向上することができる。
【００５６】
また、原子炉上方に設置する作業用のプラットホーム５として、用途が制限されることもなく、汎用性に富むものとなり、原子炉上方空間を広く利用することができる。
【００５７】
【発明の効果】
本発明によれば、原子炉上方から複数箇所の作業を同時に並行して能率よく行えるとともに、作業員が歩行する作業エリアや見学用エリア等を拡大することができ、また各種作業機器を短時間で能率よく移動することができ、しかも原子炉水面上からの作業位置を従来に比して低い位置とし、作業位置までの距離を小さくすることができ、また、同一管理区域内の床面積を拡大して同一防護服での移動範囲を従来に比して拡大することができ、さらに原子炉内の作業状態や結果を確認するための作業を複数人が同時に行える等の利便性も高めることができる。
【図面の簡単な説明】
【図１】本発明の一実施形態による原子炉内作業用プラットホームの設置状態を示す全体構成図。
【図２】図１の平面図。
【図３】本発明の一実施形態による原子炉内作業用プラットホームを図１のＡ方向から見た状態を示す拡大図側面図。
【図４】図３の平面図。
【図５】図３のＢ部拡大図。
【図６】図３のＣ部拡大図。
【図７】本発明の他の実施形態による原子炉内作業用プラットホームの拡大平面図。
【図８】本発明の別の実施形態による原子炉内作業用プラットホームの拡大平面図。
【図９】本発明のさらに異なる実施形態による原子炉内作業用プラットホームの拡大平面図。
【符号の説明】
１  原子炉圧力容器
２  原子炉ウェル
３  Ｄ／Ｓプール
４  燃料プール
５  原子炉内作業用プラットホーム
６  オペレーションフロア
７  レール
８  床
８ａ〜８ｈ  床部材
９  手摺
１０  開口部
１１  落下防止柵
１２  パネル
１３  孔
１４  位置合せ機構
１５  脚部
１６  垂下片
１７  ボルト
１８  当金
１９  支柱
２０  補強杆
２１  固定梁
２１ａ  支持部材
２２  ガイドロッド
２３  移動ロッド
２４  ホイスト
２５  滑車
２６  操作箱
２７  シールド部材
【図１】
2004325219.tif 000003
【図２】
2004325219.tif 000004
【図３】
2004325219.tif 000005
【図４】
2004325219.tif 000006
【図５】
2004325219.tif 000007
【図６】
2004325219.tif 000008
【図７】
2004325219.tif 000009
【図８】
2004325219.tif 000010
【図９】
2004325219.tif 000011